(57)【要約】【課題】バッグ全体の重量アップを抑制することが出来ながら、しかもバッグ本体をボトムに逢着するも、ボトムが不用意に変形することのないキャディバッグを提供する。【解決手段】筒状のベース部材及びこのベース部材の外面を覆う被覆材を備えたバッグ本体と、バッグ本体の下端部に結合されるボトムとが備えられて成るキャディバッグにおいて、ボトムは、バッグ本体が結合される筒状部と、この筒状部の下端開口を閉鎖する底壁部とから構成されると共に、筒状部が、外周壁と、この外周壁に所定間隔開けて対向する内周壁と、これら内周壁及び外周壁を部分的に連結する連結壁から構成されると共に、連結壁の上端面が外周壁の上端面及び内周壁の上端面より低くて、この連結壁の上端面にベース部材の下端を載置するようにした。【選択図】図２
2008023242.tif 000002
【特許請求の範囲】
【請求項１】
筒状のベース部材及びこのベース部材の外面を覆う被覆材を備えたバッグ本体と、バッグ本体の下端部に結合されるボトムとが備えられて成るキャディバッグにおいて、ボトムは、バッグ本体が結合される筒状部と、この筒状部の下端開口を閉鎖する底壁部とから構成されると共に、筒状部が、外周壁と、この外周壁に所定間隔開けて対向する内周壁と、これら内周壁及び外周壁を部分的に連結する連結壁から構成されていることを特徴とするキャディバッグ。
【請求項２】
連結壁の上端面が外周壁の上端面及び内周壁の上端面より低くて、この連結壁の上端面にベース部材の下端を載置するようにしていることを特徴とする請求項１に記載のキャディバッグ。
【発明の詳細な説明】
【技術分野】
【０００１】
本発明は、主としてゴルフクラブを持ち運びするためのキャディバッグのボトムに関する。
【背景技術】
【０００２】
一般にキャディバッグは、筒状に形成されたバッグ本体の下端開口部に、バッグ本体とは別途形成された平面視略円形のボトムが組付けられて成り、バッグ本体内にゴルフクラブを適宜収納して、持ち運びするようにしている。（特許文献１参照）
ところで、以上のキャディバッグを構成するバッグ本体は、基本的には筒状のベース部材及びこのベース部材の外面を覆う被覆材が備えられて成り，バッグ本体の下部に組みつけられるボトムは、円形の底板部及びこの底板部の外周を囲む円筒状の筒状部が備えられると共に、底板部の下面周縁に複数の突起が突設されて成り、例えばキャディバッグを地面上に立てて置く場合などにおいて、突起を地面に設置させるようにしている。
【０００３】
ところで以上のキャディバッグを構成するボトム部分は、通常、軽量化のために合成樹脂材料から形成されていることから、所定以上の加重が加わると変形し易く、そのため、バッグ本体の下端部をボトムの周壁に例えば逢着するに伴い、ともするとボトムの周壁、更には底壁が歪む不具合があり、結果として、キャディバッグを例えば地面上に立てた場合、キャディバッグが不安定となり易く、場合によってはキャディバッグが転倒する虞れも考えられる。
【０００４】
以上の不具合に対しては、ボトムを構成する周壁及び底壁の肉厚を充分厚くすればよいのであるが、周壁及び底壁の肉厚を厚くすると、重量がそれだけ増大する不具合があるし、また周壁部内に嵌め込むバッグ本体のベース部材の直径も小さくなるか、若しくは周壁部分がバッグ本体の外周よりも大きく外方に突出する不具合が考えられる。
【特許文献１】特開２００３−１０５０５７号
【発明の開示】
【発明が解決しようとする課題】
【０００５】
本発明は以上の実情に鑑みて開発されたものであって、目的とするところは、バッグ全体の重量アップを抑制することが出来ながら、しかもバッグ本体をボトムに逢着するも、ボトムが不用意に変形することのないキャディバッグを提供するにある。
【課題を解決するための手段】
【０００６】
以上の目的を達成するため、請求項１に記載の発明は、筒状のベース部材及びこのベース部材の外面を覆う被覆材を備えたバッグ本体と、バッグ本体の下端部に結合されるボトムとが備えられて成るキャディバッグにおいて、ボトムは、バッグ本体が結合される筒状部と、この筒状部の下端開口を閉鎖する底壁部とから構成されると共に、筒状部が、外周壁と、この外周壁に所定間隔開けて対向する内周壁と、これら内周壁及び外周壁を部分的に連結する連結壁から構成されていることを特徴とするものである。
【０００７】
請求項２に記載の発明は、請求項１に記載のキャディバッグにおいて、連結壁の上端面が外周壁の上端面及び内周壁の上端面より低くて、この連結壁の上端面にベース部材の下端を載置するようにしていることを特徴とするものである。
【発明の効果】
【０００８】
請求項１に記載の発明によれば、ボトムの筒状部が外周壁と内周壁とで構成された二重構造となっており、しかも外周壁と内周壁とが連結壁で連結されているので、筒状部を構成する外周壁及び内周壁の肉厚が薄くても筒状部の剛性が充分確保され、従って、例えばバッグ本体のボトムへの逢着により、ボトムに一定の加重  偏荷重  が加わっても、ボトムが不用意に変形することがなく、全体としてバッグを安定よく立てた状態に設置することが可能となる。
【０００９】
また請求項２に記載の発明によれば、連結壁の上端面が外周壁の上端面及び内周壁の上端面より低くて、この連結壁の上端面にベース部材の下端を載置するようにしているので、請求項１に記載の発明の効果に加えて、連結壁の上端面に載置したベース部材の下端部が    内周壁及び外周壁の上端部で受け止められて、ベース部材のボトムに対する設置が極めて簡単且つ正確に行なえる。
【発明を実施するための最良の形態】
【００１０】
図１において符号１で示すキャディバッグは、主としてゴルフクラブ（図示せず）を収納するための筒状をしたバッグ本体２と、このバッグ本体２の下端に組み付けられてキャディバッグ１の底を画成する有底筒状のボトム３とから構成されている。
【００１１】
バッグ本体２は、基本的には、胴芯として形成されたベース部材２１と、このベース部材２１の外周面を覆う布製のカバー部材２２と、後記するボトム３の筒状部３１の外周面を主として覆う被覆帯２３とから構成されている。
【００１２】
ベース部材２１は、合成樹脂材料、具体的には、ポリエチレンの発砲シートから筒状に形成されている。
【００１３】
バッグ本体２におけるカバー部材２２には、その外周前面にハンガーグリップ２２ａが取り付けられ、このハンガーグリップ２２ａよりも下方にはフロントポケット２２ｂが設けられ、また外周の側面にはサイドポケット２２ｃが設けられている。
【００１４】
尚、図中２４は、カバー部材２２を構成する生地の接続部位に敷設されるパイピング部材、２５は、フロントポケット２２ｂやサイドポケット２２ｃなどの開口部に設けられるファスナーを示す。
【００１５】
一方、ボトム３は、合成樹脂材料、具体的にはポリプロピレンから形成されたものであって、バッグ本体１の下端開口が嵌合可能な筒状部３１と、筒状部３１の下端開口を閉鎖する底板部３２が備えられている。
【００１６】
そして図に示す実施形態では、筒状部３１を２重構造としているのであって、具体的には、図２にも示すように、筒状部３１を、外周壁３３と、この外周壁３３に所定間隔開けて対向する内周壁３４と、これら内周壁３４及び外周壁３３を部分的に連結する連結壁３５から構成している。
【００１７】
また図に示す実施形態では、外周壁３３の上端面を内周壁３４の上端面よりも高くすると共に、連結壁３５の上端面を外周壁３３の上端面及び内周壁３４の上端面より低くすることで、外周壁３３の上端部と内周壁３４の上端部との間にベース部材２１の設置部３６を形成して、この設置部３６内における連結壁３５の上端面にベース部材２１の下端を載置するようにしている。
【００１８】
また図に示す実施形態では、底板部３２の下面に設置用突起３７ａ〜３７ｅが設けられ、キャディバッグ１を被設置面Ｃ上に立設させた際、各設置用突起３７ａ〜３７ｅの下面が被設置面Ｃに接地するようにしている。
【００１９】
尚、設置用突起３７ａ〜３７ｅは、柔軟性に優れた合成樹脂材料、具体的にはオレフィン系エラストマーから形成してもよい。
【００２０】
以上の構成からなるキャディバッグ１にあっては、バッグ本体２の下端部にボトム３を組み付けるに際して、図２にも示すように、バッグ本体２を構成するベース部材２１及びカバー部材の下端部を設置部３６内に挿入すると共に、ベース部材２１の下端を連結壁３５の上端に載置する。
【００２１】
尚、カバー部材２２の下端部を設置部３６に挿入するに際しては、カバー部材２２を    パイピング部材２４及びファスナー２５の端部も設置部３６内に嵌め込んでおく。
【００２２】
続いて、被覆帯２３を、ボトム３の筒状部３１を構成する外周壁の上部外周面からカバー部材２２の下端部外周面に跨って巻いた上で、被覆帯２３の下端部を外周壁３３の上端部に、また被覆帯２３の上端部をカバー部材２２の下端部にそれぞれ逢着する。
【００２３】
斯くして以上のキャディバッグ１では、ボトム３の筒状部３１が、外周壁３３とこの外周壁３３に所定間隔開けて対向する内周壁３４により２重構造とされ、しかも内周壁３４と外周壁３３とが部分的に連結壁３５で連結されていることから、外周壁３３及び内周壁３４の肉厚を薄くするも、被覆帯２３が逢着されるボトム３の筒状部３１のみならずボトム３全体の剛性が十分確保されるのである。
【００２４】
従って以上のキャディバッグ１は、重量が必要以上に増大することなく、しかもボトム３へのバッグ本体２の組み付け時にボトム３が不用意に変形するような虞がないので、キャディバッグ１が不用意にぐらついたりすることなく安定良く立設させることが出来る。
【００２５】
また以上のキャディバッグ１は、外周壁３３の上端部と内周壁３４の上端部との間に形成された設置部３６内において連結壁３５の上端面にベース部材２１の下端を載置するようにしているので、設置部３６内において連結壁３２の上端面に載置されるベース部材２１の下端部が、内周壁３４及び外周壁３３の上端部で受け止められ、ベース部材２１のボトム３に対する設置が極めて簡単且つ正確に行なえる。
【００２６】
また更に以上のキャディバッグ１にあっては、設置用突起３７ａ〜３７ｅのいずれかを柔軟性に優れた合成樹脂材料（オレフィン系エラストマー）から形成することにより、キャディバッグ１が不用意に滑るようなこともないし、被設置面Ｃに対する設置時の衝撃を効率良く吸収して、キャディバッグ１への衝撃による傷付きや不快音の発生も抑制される。
【００２７】
以上の実施形態では、ボトム３の底板部３２を一重構成としたが、この底板部３２も図６に示すように、上底壁３２aと、下底壁３２bと、これら上底壁３２aと下底壁３２bを連結する連結壁３２ｃから形成して、底板部３２の剛性をも高めるようにしてもよく、以上のごとく、筒状部３１のみならず底板部３２をも二重構造とすることで、より一層、ボトム３の剛性を高めることが出来る。
【図面の簡単な説明】
【００２８】
【図１】本発明にかかるキャディバッグの一実施形態を示す側面図。
【図２】同、要部の拡大断面図。
【図３】ボトムの平面図。
【図４】ボトムの側面図。
【図５】ボトムの底面図。
【図６】本発明にかかるキャディバッグの別の実施形態を示す要部の拡大断面図。
【符号の説明】
【００２９】
１      キャディバッグ
２      バッグ本体
２１    ベース部材
２２    カバー部材
２３    被覆帯
３      ボトム
３１    筒状部
３２    底板部
３３    外周壁
３４    内周壁
３５    連結壁
３６    設置部
【図１】
2008023242.tif 000003
【図２】
2008023242.tif 000004
【図３】
2008023242.tif 000005
【図４】
2008023242.tif 000006
【図５】
2008023242.tif 000007
【図６】
2008023242.tif 000008